(57)【要約】【課題】傘等の石突きを有した用具の石突きに使用すれば地面や凹凸のある床面、揺れのある床面でも石突きを有した用具の自立が可能な石突き固定具を提供する。【解決手段】下方にゲル状の半固形物層２を備えた吸盤１と、吸盤１の中央を持上げる持上げ操作部３と、吸盤１を下方に備えた保持体４と、保持体４の上方に設けられ、石突きを有した用具３０の石突き３１を固定する石突き固定部５とを備え、石突きを有した用具３０の石突き３１を石突き固定部５に固定し、吸盤１をゲル状の半固形物層２を介して床面に押し当てた状態で、所定の操作で持上げ操作部３を動作させて、復帰状態にある吸盤１の中央を持上げることによって、吸盤１を床面に吸着させて、石突きを有した用具３０を自立させるようにしている。【選択図】図２
2008295769.tif 000002
【特許請求の範囲】
【請求項１】
下方にゲル状の半固形物層を備えた吸盤と、該吸盤の中央を持上げる持上げ操作部と、上記吸盤を下方に備えた保持体と、該保持体の上方に設けられた、石突きを有した用具の石突きを固定する石突き固定部とを備え、上記石突きを有した用具の石突きを上記石突き固定部に固定し、上記吸盤を上記ゲル状の半固形物層を介して床面に押し当てた状態で、所定の操作で上記持上げ操作部を動作させて復帰状態にある上記吸盤の中央を持上げることによって、上記吸盤を床面に吸着させて、上記石突きを有した用具を自立させるようにしたことを特徴とする石突き固定具。
【請求項２】
請求項１において、
上記保持体の上方で上記石突きを有した用具の上記石突きを周囲より支持し、上記保持体に連結された揺れ防止壁をさらに備えたことを特徴とする石突き固定具。
【請求項３】
請求項１または２に記載の石突き固定具の石突き固定部に、石突きを有した用具の石突きを、固定、固着または一体化させて、石突きを有した用具を自立させるようにしたことを特徴とする、石突き固定具を使用した石突きを有した用具。
【請求項４】
下方にゲル状の半固形物層を備えた吸盤と、上記吸盤を床面に押し付ける押圧部と、上記吸盤を下方に備えた保持体と、上記保持体の上方で、石突きを有した用具の石突きを周囲より支持し、上記保持体に連結された揺れ防止壁とを備え、上記石突きを有した用具の石突きが揺れ防止壁で支持された状態で、所定の操作で上記押圧部を押し下げて、復帰状態にある上記吸盤を床面に押し付けることによって、上記吸盤を吸着させて、上記石突きを有した用具を自立させるようにしたことを特徴とする石突き固定具。
【請求項５】
請求項４に記載の石突き固定具の揺れ防止壁によって、石突きを有した用具の石突きを支持させて、石突きを有した用具を自立するようにしたことを特徴とする、石突き固定具を使用した石突きを有した用具。
【請求項６】
請求項５において、
上記石突き固定具の上記押圧部に、上記石突きを有した用具の上記石突きを固定、固着または一体化させて、上記石突きを有した用具を自立させるようにしたことを特徴とする、石突き固定具を使用した石突きを有した用具。
【発明の詳細な説明】
【技術分野】
【０００１】
本発明は、石突きを有した用具（傘（雨傘、日傘）、杖、ステッキ、ピッケルなどを含む。以下、石突き保有具という。）の石突きを石突き固定具に固定させ、所定の操作によって、石突き保有具を自立させるようにした石突き固定具、および、石突き固定具を石突き保有具の石突きに固定、固着または一体化させて、所定の操作によって、自立させるようにした石突き固定具を使用した石突きを有した用具に関するものである。
【背景技術】
【０００２】
雨の日に電車やバスに乗車した場合、石突きを有する用具である傘の処置がきわめて不便である。また、傘立てのない屋内や屋外では、傘の置き場に困ることもある。また、雨傘に限らず、日傘や杖、ステッキなどの棒状の物で、石突きを有した用具であれば同様に、それらを使用しない際に、手で支えたり、壁に立てかけたりするなど、その処置に問題があった。
【０００３】
この問題を解決するために、次の特許文献では、吸盤を利用した傘が提案されている。例えば、特許文献１には傘の柄に吸盤を連結させて壁面などに吊り下げるもの、特許文献２、３には吸盤を傘の石突きに取り付けて立てかけたときに滑らないようにしたものが記載されている。
【特許文献１】特開平８−１２６５０８号公報
【特許文献２】特開平１０−１１３２０７号公報
【特許文献３】実開昭５２−１７１４５４号公報
【発明の開示】
【発明が解決しようとする課題】
【０００４】
しかしながら、吸盤は、微小な凹凸もなく、かつ埃や塵などの汚れもほとんど付着していない平坦面には強い吸着力でもって吸着するが、電車内の壁面、床面や道路、外床などは当然にそのような微小凹凸や汚れのない吸着面とはなっておらず、そのため、吸着させようとしてもほとんど吸着しないか、あるいは吸着が持続しないため、傘の吊り下げ、あるいは自立を保持することはできない。
【０００５】
特に、上記文献２に提案されたものは、壁などに立てかけたときに滑り止めとして使用できる程度であり、凹凸のある地面や床面では、傘を自立させることはほとんど不可能である。
【０００６】
また、上記文献１の吊り下げるものでは、近くに吸着すべき壁面がなければならず、電車内では利用可能性がきわめて低い。
【０００７】
加えて、上記文献３に提案されたものも、自立はほとんど不可能と想像できるが、たとえ吸盤の強い吸着力で傘を自立できたとしても、傘と吸盤が直接固着されているため電車の揺れや屋外での風により傘が揺れた場合、傘の傾倒する力が吸盤に直接伝わるため、吸盤自体の吸着力は失われ、吸盤が外れる可能性がきわめて高い。
【０００８】
本発明は、このような問題を解決すべく提案したもので、その目的は、傘等の石突きを有した用具の石突きに固定すれば地面や凹凸のある床面、揺れのある床面でも石突きを有した用具（石突き保有具）の自立が可能な石突き固定具、およびその石突き固定具を使用した石突き保有具を提供することにある。
【０００９】
また、揺れの多い走行中の電車内などでも長時間、石突き保有具の自立を維持できるようにするために、床面が揺れることを想定し、その揺れによって吸盤の吸着力が低下しないような構造にすることも、本発明の主たる目的としている。
【課題を解決するための手段】
【００１０】
上記目的を達成するために、請求項１に記載の石突き固定具は、下方にゲル状の半固形物層を備えた吸盤と、吸盤の中央を持上げる持上げ操作部と、吸盤を下方に備えた保持体と、保持体の上方に設けられた、石突きを有した用具の石突きを固定する石突き固定部とを備え、石突きを有した用具の石突きを石突き固定部に固定し、吸盤をゲル状の半固形物層を介して床面に押し当てた状態で、所定の操作で持上げ操作部を動作させて復帰状態にある吸盤の中央を持上げることによって、吸盤を床面に吸着させて、石突きを有した用具を自立させるようにしたことを特徴とする。
【００１１】
請求項２に記載の石突き固定具は、請求項１において、保持体の上方で上記石突きを有した用具の石突きを周囲より支持し、保持体に連結された揺れ防止壁をさらに備えたことを特徴とする。
【００１２】
請求項３に記載の石突き固定具を使用した石突きを有した用具は、請求項１または２に記載の石突き固定具の石突き固定部に、石突きを有した用具の石突きを、固定、固着または一体化させて、石突きを有した用具を自立させるようにしたことを特徴とする。なお、石突き保有具には、雨傘、日傘、杖、ステッキなどの、下端に石突きを有した構造物が含まれる。また、それらの石突きと石突き固定具は固定、固着、または一体化されているため、石突き固定具は、石突き保有具を構成する一部と捉えることもできる。
【００１３】
請求項４に記載の石突き固定具は、下方にゲル状の半固形物層を備えた吸盤と、吸盤を床面に押し付ける押圧部と、吸盤を下方に備えた保持体と、保持体の上方で、石突き保有具の石突きを周囲より支持し、保持体に連結された揺れ防止壁とを備え、石突きを有した用具の石突きが揺れ防止壁で支持された状態で、所定の操作で押圧部を押し下げて、復帰状態にある上記吸盤を床面に押し付けることによって、吸盤を吸着させて、石突きを有した用具を自立させるようにしたことを特徴とする。
【００１４】
請求項５に記載の石突き固定具を使用した石突きを有した用具は、請求項４に記載の石突き固定具の揺れ防止壁によって、石突きを有した用具の石突きを支持させて、石突きを有した用具を自立させるようにしたことを特徴とする。
【００１５】
請求項６に記載の石突き固定具を使用した石突きを有した用具は、請求項５において、石突き固定具の押圧部に、石突きを有した用具の石突きを固定、固着または一体化させて、石突きを有した用具を自立させるようにしたことを特徴とする。
【発明の効果】
【００１６】
請求項１に記載の本発明によれば、石突き固定具は、下方にゲル状の半固形物層を備えた吸盤と、吸盤の中央を持上げる持上げ操作部と、吸盤を下方に備えた保持体と、保持体の上方に設けられた、石突きを固定する石突き固定部とを備え、石突きを有した用具の石突きを石突き固定部に固定し、吸盤をゲル状の半固形物層を介して床面に押し当てた状態で、所定の操作で持上げ操作部を動作させて復帰状態にある吸盤の中央を持上げることによって、吸盤を床面に吸着させているため、保持体の上方で、石突き固定部に固定した傘等の石突き保有具を自立させることができる。
【００１７】
請求項２に記載の本発明によれば、石突き保有具の石突きを周囲より支持し、保持体に連結された揺れ防止壁を備えているため、所定の操作で持上げ操作部を動作させて復帰状態にある吸盤の中央を持上げることによって、吸盤を床面に吸着させた際に、床面が揺れても、床面の揺れの影響を受けやすい傘等の石突き保有具の揺れを抑えることができる。つまり、傘等が揺れても、その揺れを、揺れ防護壁の石突きを支持している箇所で抑えることができ、くわえて、傘等が揺れると、その揺れは揺れ防護壁に伝わるが、揺れ防護壁は保持体に連結されているため、その揺れは保持体に伝わり、ひいては吸盤の周縁部にその揺れが伝わるが、吸盤の吸着力は、吸盤の周縁部に保持体が揺れることによって生じる上方からの力が加わっても、その力が、吸盤の周縁部を持ち上げるような力でない限り、弱まることはない。また、保持体の揺れを保持体と当接する吸盤のクッション性、および吸盤の下方に備えられたゲル状の半固形物層のクッション性によって緩和することができる。さらに、床面にはゲル層のみが接しているため、床面からの揺れの伝達はゲル層で吸収でき、ゲル層よりも上方に位置する保持体や揺れ防止壁、石突き保有具などに伝わる揺れも軽減することができ、それらの結果、床面の揺れによる吸盤の吸着力の低下を防止することができ、傘の自立を長時間可能にする。
【００１８】
請求項３に記載の石突き固定具を使用した石突き保有具によれば、請求項１または請求項２に記載の石突き固定具の石突き固定部に、石突きを固定、固着または一体化させているので、同様の効果が期待できる。特に、石突き保有具の石突きと石突き固定具の石突き固定部とを固着または一体化させれば、石突き固定具から石突き保有具が外れるおそれがなく利便性が高い。
【００１９】
請求項４に記載の本発明によれば、下方にゲル状の半固形物層を備えた吸盤と、吸盤を床面に押し付ける押圧部と、吸盤を下方に備えた保持体と、保持体の上方で石突き保有具の石突きを支持し保持体に連結された揺れ防止壁とを備え、石突きを有した用具の石突きが揺れ防止壁で支持された状態で、所定の操作で押圧部を押し下げて、復帰状態にある吸盤を床面に押し付けることによって、吸盤を床面に吸着させる構造としているため、石突き保有具を自立させることができる。
【００２０】
また、石突き保有具の石突きを周囲より支持する揺れ防止壁を備えているため、石突きを有した用具である傘等の揺れを抑えることができる。つまり、石突き固定具の揺れ防止壁に傘等を差し入れた状態で、傘等が揺れても、その揺れを、揺れ防護壁の石突きを支持している箇所で抑えることができる。くわえて、傘の揺れから伝達される揺れ防止壁の揺れは、揺れ防止壁が保持体に連結されているため、保持体にも伝わり、ひいては吸盤の周縁部にも伝わるが、吸盤の吸着力は、吸盤の周縁部に保持体が揺れることによって生じる上方からの力が加わっても、その力が、吸盤の周縁部を持上げるような力でない限り、弱まることはない。また、保持体の揺れを、保持体と当接する吸盤のクッション性、および吸盤の下方に備えられたゲル状の半固形物層のクッション性によって緩和することができる。さらに、床面にはゲル層のみが接しているため、床面からの揺れの伝達はゲル層で吸収でき、ゲル層よりも上方に位置する保持体や揺れ防止壁、石突き保有具などに伝わる揺れも軽減することができ、それらの結果、床面の揺れによる吸盤の吸着力の低下を防止することができ、傘の自立を長時間可能にする。
【００２１】
請求項５に記載の石突き固定具を使用した石突き保有具によれば、請求項４に記載の揺れ防止壁に石突き保有具の石突きが支持されているため、請求項４と同様の効果が期待できる。
【００２２】
請求項６に記載の石突き固定具を使用した石突き保有具によれば、請求項５において、石突き固定具の押圧部に石突き保有具の石突きを固定、固着または一体化させているため、石突き固定具を石突き保有具に連結させた状態で携帯でき、石突き固定具から石突き保有具が外れるおそれがなく利便性が高い。
【００２３】
また以上の本発明によれば、床面に接しているゲル状の半固形物層は伸縮自在で柔軟であるため、多少の凹凸のある床面との間に生じる隙間を塞ぎ、隙間からの空気侵入を防止でき、吸盤の吸着力を補完し、そのため、道路や外床、電車内の床面など多少の凹凸がある場合や、風や電車内の揺れによって自立した傘等の石突き保有具が揺れる場合であっても、いったん吸着させると、傘等の石突き保有具を手放しにして長時間自立させることができる。また、自立中に床面が揺れ、その揺れによって傘等の石突き保有具が揺れても、ゲル状の半固形物層しか床面に接していないため、揺れを緩和することができる。
【発明を実施するための最良の形態】
【００２４】
以下に、本発明の最良の実施形態について、添付図面を参照しながら説明する。以下には、石突き保有具として傘（雨傘）を例示しているが、日傘、杖、ステッキ、ピッケルなど下端に石突き（地面を突く部分）を有した他の構造物でもよく、雨傘に限定されるものではない。
【００２５】
図１は、本発明の一例である傘自立用石突き固定具の分解斜視図を示しており、（ａ）は同石突き固定具が有している石突き装着体の斜視図、（ｂ）は吸着操作に使用するためのナットの斜視図、（ｃ）は同石突き固定具の石突き固定部、ナットを除く部分の一部破断斜視図である。図２は同石突き固定具の使用態様を示す縦断面図で、（ａ）は非吸着時、（ｂ）は吸着時を示している。
【００２６】
同石突き固定具１０は、下方にゲル状の半固形物層２（以下、ゲル層２という。）を備え、吸盤１を持上げ操作するための持上げ操作部３を上方に設けた吸盤１と、吸盤１を下方に備えた保持体４と、保持体４の上方に設けた、傘３０の石突き３１を固定する石突き固定部５とを備えている。
【００２７】
持上げ操作部３は、吸盤１に連結され、金属などで製されネジ溝が切られた持上げ棒３ａと、その持上げ棒３ａに螺合する、金属などで製された六角ナット３ｃとを少なくとも含んだ構成となっており、両者の螺進作用によって持上げ棒３ａとそれに連結された吸盤１を持上げる構造となっている。なお、ナットは六角のものに限定されない。
【００２８】
本例の持上げ操作部３は、持上げ棒３ａの螺進、螺退のための六角ナット３ｃの回転操作をしやすくするために、ナット３ｃを装着固定するナット装着部３ｄと、螺進によって持ち上がる持上げ棒３ａが収容、挿入されてゆく持上げ穴３ｂとを形成した石突き装着体５Ａを有している。
【００２９】
この石突き装着体５Ａは、上方に石突き３１を装着、固定するための石突き固定部５を構成する傘挿着凹所５ａを備えている。つまり石突き装着体５Ａは、石突き固定部５と持上げ操作部３の一部（持上げ穴３ｂとナット装着部３ｄ）とが一体化され、両方の機能を有したものである。
【００３０】
この石突き装着体５Ａでもって傘３０に同石突き固定具１０を装着、固定し、吸盤１をゲル層２を介して床面に押し当てた状態で、傘３０の回転動作によって石突き装着体５Ａを回転させて、その回転によって、ナット３ｃの回転にともなう持上げ棒３ａの螺進作用により吸盤１を上方に持上げると同時に、ナット３ｃを回転させるとナット３ｃは下方にさがり保持体４と接することになるが、更に、ナット３ｃを回転させると、ストッパ部１ｂとナット３ｃとで保持体４を挟持し、ストッパ部１ｂの弾性よって、ナット３ｃは更に下方へ下がるため、保持体は下方へ押し下げられ、ひいては、保持体４の吸盤保持部４ｄによって、吸盤１の周縁部は床面にさらに押し付けられた状態となり、吸盤１の中央だけが持上げられることによって、吸盤１の下方空間を低圧化させることにより、床面への吸着を可能としている。なお、傘３０を回転させる際に、傘３０の回転動作によって、バランスを崩し、吸盤を床面に押しつづけられない場合には、手や足などで、保持体４を下方に押し付けながら、傘３０を回転させてバランスをとり、吸盤１を吸着させてもよい。
【００３１】
同石突き固定具１０はさらに、保持体４の上方かつ外側で石突き固定部５および後述する保持体４の周壁４ｅを取り囲んだ揺れ防止壁７を備えている。この揺れ防止壁７は、その上端は石突き３１を周囲より支持できるよう開口されており、下端が保持体４に連結され、かつ持上げ操作部３と連結されていない構造となっている。
【００３２】
本例で使用する吸盤１は、非吸着時では円錐状または円板状に形成され、その周縁部を吸着対象面にゲル層２を介して押し当てた状態で持上げ棒３ａを傘の回転操作によって持上げると、持上げ棒３ａの螺進と吸盤１の弾性によって中央が持ち上がって、吸盤１の下方空間が低圧化されて、吸着対象面に吸着し、その状態を維持することによって吸着状態を維持できる構造となっている。なお、図例では非吸着時に円錐状に保持されている吸盤１を使用している。また、吸盤の吸着力を強めるため、吸盤を２重にした構造や、ラバーカップ状に形成された吸盤を使用してもよい。
【００３３】
吸盤１を上方に持上げるために、図例のように、吸盤１に連結された持上げ棒３ａをボルト状に構成しナット３ｃとの相互作用により持上げてもよいし、持上げ棒を、偏心カム機構を用いて、吸盤を持上げる構造とし、偏心カムを動作させる板等を設け、その板を踏み込むなどの操作で吸盤を持上げる構造としてもよい。本例では、持上げ操作をナット３ｃの回転操作にともなう持上げ棒３ａの螺進作用により行うものを示している。
【００３４】
吸盤１は軟質の合成樹脂により、復帰状態では円錐状に成形されており、吸盤１の中央を持上げたときに下方に十分な広さの空間が確実に形成されるように、吸盤１の中央には金属などで製された円板１ａが埋設されている。この円板１ａには持上げ棒３ａが立設されている。また、持上げ棒３ａは円板１ａと一体成形されたものでもよいし、円板１ａは吸盤の頂部に固着されたものでもよい。
【００３５】
ゲル層２は、ポリエチレン系素材、ポリウレタン系素材などで製されたゲル層で、吸盤１の裏面に密着されている。よって、ゲル層２を床面に当接させたときには吸盤１の下方には、一定の容積を有した初期空間Ｓ１が形成される。なおゲル層２としては、耐震製品として使用される衝撃吸収用パッドも使用できる。
【００３６】
このように、ゲル層２を吸盤１の下方に備えているため、石突き固定具１０を床面に載置したときには、ゲル層２のみが床面と接し、吸盤１は床面８といっさい接することはない。
【００３７】
ここで、ゲル状の半固形物には、液体のような柔軟性を有しながらも固体のような弾力性も発揮するゲルの意味を含んでいる。柔軟性があるため外力により形状は変化するが、弾力性を有しているため元の形状を維持しようとする。水分を含むものと含まないものがあるが、経時変化のほとんどない水分や溶媒を含まないものがより好適に利用できる。
【００３８】
また、ゲルは自己粘着性の強いものを使用することが望ましいが、粘着性の有無、粘着力の程度にかかわらず、いずれのものも使用できる。吸着力を補完するために、ゲル層２の両面または一方面にさらに強い粘着力を持たせてもよい。なお、ゲル層２は別体のシート状のものを粘着、接着するものに限られず、吸盤１の吸着面に層として形成させたものを使用してもよいし、ゲル層２によって製された吸盤を使用してもよい。また、ゲル層２の硬度が低いために、吸盤状に成形できない場合には、吸盤状に成形された硬質のプラスチックなどの芯材を使用して、補強してもよい。
【００３９】
保持体４は、硬質のプラスチック等で製され、吸盤１を下方に備えた円錐状のコーン部４ａと、持上げ棒３ａを連通させるための開口孔４ｃを中央に開設した天面部４ｂとを有した構造とされている。コーン部４ａの下端には、吸盤１を上方より押さえつけるように略水平に成形した吸盤保持部４ｄが形成され、この吸盤保持部４ｄは、吸盤１の周縁部に当接している。また、天面部４ｂの周縁には、周壁４ｅが保持体４と一体的に連設されている。この周壁４ｅは、その内方上端に周設されたクッション材４ｆでもって石突き固定部５を弾性的に支持する。なお、クッション材は周設ではなく、内方上端の一部に設けてもよい。
【００４０】
保持体４の開口孔４ｃより突設した持上げ棒３ａには、ナット３ｃが螺合されている。持上げ棒３ａは、このナット３ｃを石突き固定部５（石突き装着体５Ａ）とともに回転させることによって、ナット３ｃとの両者の螺進作用によって上動を可能とし、それによって吸盤１の中央を上方に持上げ、吸盤１を床面に吸着させるようにしている。
【００４１】
石突き固定部５の傘挿着凹所５ａには、上述した傘の石突き３１が装着、固定されており、傘３０の柄等を回転させることによって、持上げ操作部３を操作することによって、吸盤１を床面に吸着させる。
【００４２】
なお、傘３０の回転によって石突き装着体５Ａを同時に回転させるために、石突き３１を傘挿着凹所５ａに差し込んだ状態で、石突き３１と石突き固定部５とが強く連結されている必要があるが、そのために傘挿着凹所５ａの内壁を滑り止め加工するか、滑り止め部材を介在させるようにしてもよい。また、石突き３１と傘挿着凹所５ａとが同時に回転できるように両者を係合させるようにしてもよい。例えば、楕円形状にしてもよいし、両者が同時回転できるように両者を係合させるようにしてもよい。
【００４３】
揺れ防止壁７は、硬質のプラスチック等で製され、保持体４や石突き固定部５を取り囲む周壁として設けられ、その上端は石突き３１を周囲より支持できるよう開口され、その内方上端にはクッション材７ａが周設されている。傘３０の石突き３１を石突き固定部５に固定させるように石突き固定部５の傘挿着凹所５ａに差し入れると、その石突き３１は周囲を揺れ防止壁７によって支持され、クッション材７ａによって周囲より弾性的に支持される。なお、クッション材は周設ではなく、内方上端の一部に設けてもよい。
【００４４】
なお、揺れ防止壁７はクッション材７ａによって差し入れた傘３０の揺れを吸収する構造となっているが、揺れ防止壁７を花弁状に形成して、各花弁で石突き３１を弾性的に支持させて、各花弁の弾性によって揺れを吸収するようにしてもよい。また、石突き３１にテープなどの滑り止めを介在させて弾性力を補強してもよいし、石突き３１にクッション材を設け、石突き３１を強固に支持できるようにしてもよい。
【００４５】
また本例では、揺れ防止壁１７は石突き３１を支持する構造としているが、石突き装着体５Ａつまり石突き固定部５の周壁、またはその下方の持上げ操作部３の持上げ穴３ｂを形成するための周壁を、周囲より支持するようにしてもよい。
【００４６】
ついで、同石突き固定具１０の吸着動作について図２にもとづいて説明する。
【００４７】
傘３０の石突き３１を石突き固定具１０に装着させた状態で、ゲル層２を床面８などに強く押し付け、石突き装着体５Ａを、傘３０を持上げ操作部３の持上げ方向に回転させると、まずナット３ｃが保持体４の天面部４ｂに近づいてゆき、天面部４ｂに当接すると今度は、ナット３ｃの回転によって持上げ棒３ａが開口孔４ｃより徐々に持上げられ、吸盤１もそれに応じて弾性変形して、吸盤１の頂部に形成したリング状のストッパ部１ｂが保持体４に当接したところで、持上げ棒３ａの螺進は停止する。なお持上げ棒３ａを上方に移動させても、吸盤１の周縁は吸盤保持部４ｄによって押し付けられているため、吸盤１全体が持ち上がることはない。なお、ストッパ部１ｂは略水平に形成されていればよく、リング状に限定しない。また、吸盤に一体的に成形されていてもよい。
【００４８】
この動作において、ゲル層２はその周縁部で床面８への密着状態が保持されるため、吸盤１と床面８との間には、非吸着時の吸盤１の下方空間Ｓ（容積Ｓ１）は持上げ動作とともに広がり、持上げ棒３ａの立設位置が最も高くなった（吸着状態の）ときには、下方空間Ｓは拡大した空間Ｓ２（容積Ｓ２）となる。つまり、吸着時の下方空間Ｓは、初期空間Ｓ１から拡大空間Ｓ２となって、容積が増大して、低圧化される。この低圧化によって吸盤１は強い吸着力を生成する。また、持上げ棒３ａは螺合によって持上げられるため、持上げられた状態でロックされ、吸着状態が維持される。
【００４９】
ゲル層２は伸縮自在で柔軟であるため、多少の凹凸のある床面８との間に生じる隙間を塞ぎ、床面８との隙間からの空気侵入を防止でき、吸盤１の吸着力を補完し、その結果、道路や外床、電車内の床面など、微小な凹凸や埃や塵などの汚れによる凸部がある場合や、風や電車内の揺れによって自立した傘が揺れる場合であっても、吸盤１をいったん吸着させると、傘を手放し状態にして長時間自立させることができる。また、ゲル層２しか床面８に接していないため、自立中に床面８が揺れても、その揺れが石突き固定具１０や石突き保有具３０に伝わるのを、ゲル層２によって緩和することができる。
【００５０】
また、ゲル層２の自己粘着性が強いほど吸着力は増加し、ゲル層２の床固着面に水分を付加すれば、水分によって床面の凸凹を塞ぎ、また、吸着時においても、吸盤内への空気の侵入を防ぐため、吸盤の吸着力は増加し、その力の持続力も高まる。つまり、降雨時などで床面が濡れれば、吸着力はより増加し、さらに長時間自立させることができる。
【００５１】
また本例では、揺れ防止壁７を設けているため傘３０の揺れを防止でき、特に揺れ防止壁７がクッション材７ａを備えているため、電車走行中など常時振動している状況においても振動が吸収でき、そのため振動による吸着力の低下をより防止することができる。また、床面が揺れた場合、揺れ防止壁７が石突き３１を支持していることに加え、石突き固定部５とともに傘を支持して、石突き固定具１０に揺れを最も伝えやすい傘自体の揺れを抑えることができるため、傘の揺れを効果的に軽減することができる。なお、図示するようなクッション材４ｅを保持体４と石突き固定部５との間に介装させて、揺れ防止壁７のクッション材７ａ、石突き固定部５のクッション材（不図示）とともに３点で揺れを防止した構造としてもよい。
【００５２】
さらに、揺れ防止壁７は保持体４の周縁に連結されているため、石突き３１を支持している箇所と、保持体４に連結されている箇所の２点によって、揺れを吸収することができる。特に、揺れ防止壁７の保持体４への連結箇所を、床面に近く、かつ最も安定した保持体の周縁としているため、揺れ防止壁７自体が安定し、揺れ防止効果を十分に発揮できる。なお、揺れ防止壁７の保持体４への連結箇所は周縁でなくてもよい。また本例では、揺れ防止壁７は持上げ操作部３と連結されていないため、揺れ防止壁７の揺れが吸盤１の頂部に伝達しない、揺れにより強い石突き固定具を構成できる。
【００５３】
また、石突き固定具１０を傘３０に固定して電車などの床面８に吸着させると、床面８が揺れて傘３０が揺れても、傘３０の揺れから伝達される揺れ防止壁７の揺れは、揺れ防止壁７が保持体４に連結されているため、保持体４にも伝わり、ひいては吸盤１の周縁部にも伝わるが、吸盤１の吸着力は、吸盤１の周縁部に保持体４が揺れることによって生じる上方からの力が加わっても、その力が、吸盤１の周縁部を持上げるような力でない限り、弱まることはない。また、保持体４の揺れを保持体４と当接する吸盤１のクッション性、および吸盤１の下方に設けられたゲル層２のクッション性によって緩和することができる。さらに、床面８にはゲル層２のみが接しているため、床面８からの揺れの伝達はゲル層２で吸収でき、ゲル層２よりも上方に位置する保持体４や揺れ防止壁７、石突き保有具１０などに伝わる揺れを軽減することができ、加えて、揺れ防止壁７の揺れは、保持体４をも揺らすが、保持体４は持上げ操作部３と接続していないため、傘の左右の揺れにともなって保持体４の周縁が左右交合に上下動しても、その揺れが直接吸盤１の頂部に伝わるのを防ぐことができ、吸盤１の吸着力を持続させることができる。それらの結果、床面の揺れによる吸盤１の吸着力の低下を防止することができ、傘の自立を長時間可能にする。
【００５４】
また、ナット３ｃを反対方向に回転させれば、吸盤１は元の状態に復帰し、床面８への吸着が解除される。なお、石突き３１を装着した状態の傘３０のバランスがよければ、吸盤１の吸着が解除状態であっても、平坦で揺れのない床面８であれば傘の自立は可能である。くわえて、ゲル層２が自己粘着性を有していれば、より安定して自立させることができる。
【００５５】
なお、揺れ防止壁７によって囲まれた内方空間や保持体４の周壁４ｅ内空間に、ゴムやゲルを注入して、揺れを吸収できる構造としてもよい。
【００５６】
以上の例では、石突き固定具１０は傘３０と別体であるが、傘の石突きと石突き固定具とを固着または一体化させてもよい。つまりその場合、石突き保有具は石突き固定具を使用した構成となる。図３は、そのような石突き固定具を使用し、石突き固定具を固着した自立傘の吸着時を示した縦断面図である。
【００５７】
同自立傘３０Ａは、石突き固定具１０Ａを石突き３１に固着させている。同石突き固定具１０Ａは、下方にゲル状の半固形物層２を形成し、持上げ操作部３を上方に備えた吸盤１と、吸盤１を下方に備えた保持体４と、持上げ操作部３の上方に備えた、石突き固定部５（石突き装着体５Ａ）とを備えている。この石突き装着体５Ａは、図１，２に示したものと同様に、持上げ穴３ｂを有している。なお、同石突き固定具１０Ａも、図１，２の例と同様、持上げ棒３ａの螺進、螺退作用によって、吸盤１の吸着、復帰を可能としている。
【００５８】
本例では、吸盤１として非吸着状態のとき円板状のものを使用し、ゲル層２として中央をくりぬいたものを使用している。よって非吸着時には初期空間Ｓ３が形成されており、持上げ操作をしたときには、吸盤１の下方空間Ｓは容積が（Ｓ３＋Ｓ４）に広がり低圧化されて、吸盤１が吸着する。なお、同一の構成部材について同一の符号を付して、それらの説明および動作説明を割愛する。
【００５９】
また本例のものは、図１，２の例と同様に傘を自立させることができるとともに、石突き３１と石突き固定具１０Ａとを固着させているため、傘の携帯中に石突き固定具１０Ａだけが外れ落ちるおそれがなく利便性が高い。つまり、図１，２の例のものでは、石突き固定部５に石突き３１を強固に固定させているものの、傘３０の回転操作によって、吸盤１を吸着させるため、吸盤１を吸着させる際の傘３０の回転操作によって、石突き３１の石突き固定部５によって固定されている箇所が磨耗し、石突き３１が細くなるなどして、石突き固定具１０より傘３０が抜けるおそれがあるが、本例のものではそのおそれがない。なお、固着は接着剤等によって固着されたものでもよく、また石突き３１と石突き固定具１０Ａを一体成形してもよい。
【００６０】
また、図１，２または図３の例において、吸盤１の頂部を持上げる手段として、持上げ操作部３に偏心カム機構を使用してもよい。その場合には、偏心カム機構を、保持体の上方に設け、足による踏み込みなどで操作できる押下操作板などで持上げ棒３を上方に動作させるようにすればよい。
【００６１】
上記２例のようにネジ式（ボルトとナットを使用する方式）の持上げ手段を使用した場合、吸盤１の吸着、復帰を傘の柄の回転だけで行えるので、操作がきわめて楽である。なお、操作を簡易にするため、傘の上下動操作によってネジを回転させるような機構を設けてもよい。また、この固定具は、雨傘だけではなく、日傘、杖、ステッキなどの石突き保有具に固定、固着または一体化させて、使用することもできる。特に、杖にこの固定具を使用する場合などには、ゲル層２の中央をくりぬき、そのくりぬいた部分に、滑り止めのためのゴムなどを設けるなどして、石突き固定具を使用した杖(石突き保有具)に滑り止め効果を持たせてもよい。以上は、吸盤の中央を持上げて吸盤を吸着させる操作方法を用いた本発明の実施形態について述べたが、石突き固定具および石突き保有具の形状および構造とそれらを構成する部材の形状および構造と各部材間の固着、連結等の各部材間の関係は、これらに限定されるものではない。
【００６２】
次に、吸盤を押圧することによって、床面に吸着させ、石突き保有具を自立させるようにした構成の石突き固定具の一例の使用態様について説明する。以下には、石突き保有具として傘（雨傘）を例示しているが、日傘、杖、ステッキなど下端に石突きを有した他の構造物でもよく、雨傘に限定されるものではない。
【００６３】
図４は同石突き固定具２０に傘を差し入れた状態を示すもので、（ａ）は傘の非吸着時の斜視図、（ｂ）は吸着時の斜視図である。図５，６は図４（ａ）、（ｂ）に対応した各縦断面図である。
【００６４】
同石突き固定具２０は、下方にゲル状の半固形物層１２（以下、ゲル層１２という）を備えた吸盤１１と、吸盤１１を床面８に押し付ける押圧部１３と、吸盤１１を下方に備えた保持体１４と、保持体１４の上方で傘４０の石突きを支持し保持体１４に連結された揺れ防止壁１７とを備えており、傘４０を揺れ防止壁１７の上端開口に差し入れ、傘４０の押し込み操作によって押圧部１３を押し下げて、吸盤１１を床面８に吸着させて、揺れ防止壁１７に支持された傘４０を自立させるようにしている。
【００６５】
なお、揺れ防止壁１７は保持体１４と一体成形されていることが望ましい。本例では揺れ防止壁１７は、その下端が保持体１４の下端と連結され、かつ押圧部１３とは連結されていない。
【００６６】
また、この固定具も図１，２の例と同様、雨傘だけではなく、日傘、杖、ステッキなどの石突き保有具の石突きを支持することで、固定させ、使用することもできる。特に、杖にこの固定具を使用する場合などには、ゲル層１２の中央をくりぬき、そのくりぬいた部分に、滑り止めのためのゴムなどを設けるなどして、石突き固定具を使用した杖(石突き保有具)に滑り止め効果を持たせてもよい。
【００６７】
吸盤１１は、軟質の合成樹脂などにより、円板に近い偏平な円錐形状に成形されており、吸盤１１単体では、吸着対象にゲル層１２を介して当接させてその頂部１１ａより押圧することにより、吸盤１１と床面８との間の空気が外に押し出されると、吸盤１１は床面８に密着した状態で復帰弾性力によってもとの形状に戻ろうとし、それによって吸盤１１（ゲル層１２）下方の空間は低圧化されて、吸盤１１が床面８に吸着する。
【００６８】
吸盤１１の吸着面側にはゲル層１２を形成し、頂部１１ａには後述する押圧部１３を連結させている。
【００６９】
また、吸盤１１の下端周縁部には、吸盤１１の周縁を持上げて吸着を解除する（吸盤１１を床面８よりはがす）ための取り外し片１１ｂが一体形成されている。
【００７０】
なお、吸盤１１は、吸盤を２重に構成してもよい。すなわち、図５中の吸盤１１の下方に、他の吸盤を設け、その吸盤は、吸盤１１と頂部同士で連結され、径を吸盤１１よりもやや小とし、かつ下端の高さをほぼ同一としたものであり、２つの吸盤はともにゲル１２に固着している。上方より押圧すれば、２つの吸盤はともに床面等に吸着する。また、ラバーカップの形状に形成された吸盤を使用してもよい。
【００７１】
ゲル層１２は、ポリエチレン系素材、ポリウレタン系素材などで製され、シート状のものを所定サイズに切断して使用できる。なお、ゲル層１２にも、吸盤１１の取り外し片１１ｂに固着させるようにした取り外し片を設けてもよい。また、耐震製品として使用される衝撃吸収用パッドも使用できる。なお、ゲル層１２の特性は図１のものと同様であるため、説明を割愛する。
【００７２】
図７（ａ）は、吸盤１１とほぼ同径か、あるいはやや大きめの円板状のゲル層１２を、吸盤１１との間に空間ができるように粘着または接着させた例、図７（ｂ）は、円板状のゲル層１２を吸盤１１の吸着面に粘着または接着させ、吸着対象との間に空間を形成させた例である。
【００７３】
いずれの場合も、上方より押圧したときには、押圧後の吸盤１１の復帰力が作用して、床面８との間が低圧化されることが発明者の試験により確認されている。図７（ｂ）の場合は、押圧して空気を押し出した後、吸盤１１の上方復帰とともにゲル層１２も上方に移動し、それによってゲル層１２と床面８との間の低圧化が実現でき、図７（ａ）の場合は、吸盤１１とゲル層１２とは中央に空間が形成されているが、押圧して空気を押し出した後は、図７（ｂ）と同様に、吸盤１１の上方復帰とともにゲル層１２も上方に移動しようとするため、ゲル層１２と床面８との間の低圧化が実現できる。
【００７４】
また、吸盤１１とゲル層１２の粘着性が弱い場合にはゲル層１２が外れるおそれがあるため、接着することが望ましい。ただし、図７（ａ）の場合には、押圧したときに吸盤１１内の空気を確実に外に押し出せるように、周縁を完全に接着しないことが望ましい。なお、ゲル層１２は別体のシート状のものを粘着、接着するものに限られず、吸盤１１の吸着面に層として一体化させたものを使用してもよいし、ゲル層1２によって製された吸盤を使用してもよい。また、ゲル層２の硬度が低いために、吸盤状に成形できない場合には、吸盤状に成形された硬質のプラスチックなどの芯材を使用して、補強してもよい。
【００７５】
このようにゲル層１２は少なくとも、吸盤１１で吸着させたときにゲル層１２と床面８との間から空気が流入しにくい、つまり少なくとも吸盤を床面に吸着させた際にゲル層１２の周縁部が床面に密着する形状であればよい。例えば、中央の一部をくりぬいたリング状のものであってもよいし、上述のように、ゲル層１２によって製された吸盤を使用してもよい。
【００７６】
押圧部１３は、プラスチックなどで製された押圧棒１３ａと、その下端に接合させ吸盤１１の頂部１１ａに埋め込ませた金属などで製された円板１３ｂと、吸盤１の頂部１１ａの周辺を覆うように逆漏斗状にプラスチックなどで形成した押圧補助カバー１３ｃと、石突き４１を載せ置いて押圧棒１３ａを押圧するための押圧板１３ｅとを備えている。また、押圧板１３ｅの下方には押圧棒１３ａを収容固着する凹所１３ｄが形成されている。なお、吸盤１１の頂部１１ａに対する円板１３ｂの埋め込み態様については、図８にてその一例を後述するが、円板１３ｂは吸盤に埋め込まず、吸盤の頂部に固着もしくは固定されたものでもよいし、吸盤１１の上方に備えられたものでもよい。また、押圧補助カバー１３ｃと円板１３ｂは一体成形されたものでもよいし、くわえて押圧棒１３ａも含め、一体成形されたものでもよい。つまり、押圧部１３は、すくなくとも吸盤１を押圧できる構造であればよい。
【００７７】
図例のものでは、押圧棒１３ａは押圧補助カバー１３ｃの上方円筒部分に貫通固着されており、押圧部１３を押し下げることにより、吸盤１１の頂部１１ａとその周辺を同時に押圧できる構造となっている。
【００７８】
揺れ防止壁１７は、保持体１４を取り囲む円錐状の周壁として設けられ、その上端は石突き４１を周囲より支持できるよう開口され、その内方上端にはクッション材１７ａが周設されている。傘４０の石突き４１を揺れ防止壁１７の上端開口より差し入れると、その石突き４１は周囲を揺れ防止壁１７によって支持され、クッション材１７ａによって周囲より弾性的に支持され、石突き４１の下端は、押圧板１３ｅに載せ置ける。なお、クッション材は周設ではなく、内方上端の一部に設けてもよい。
【００７９】
なお、揺れ防止壁１７はクッション材１７ａによって差し入れた傘４０の揺れを吸収する構造となっているが、揺れ防止壁７を花弁状に形成して、各花弁で石突き４１を弾性的に挟持して、各花弁の弾性によって揺れを吸収するようにしてもよい。また、石突き４１にテープなどを介在させて、石突き４１の太さを調節し、傘４０を携帯した際に、傘４０が揺れ防止壁７の開口部より抜けるのを防止したり、石突き４１にテープなどの滑り止めを介在させて弾性力を補強して、石突き４１をより強固に支持できるようにしてもよい。また、石突きにクッション材を設けるなどして、石突きを強固に支持できるようにしてもよい。
【００８０】
このように、揺れ防止壁１７を設けているため、床面が揺れた際に、その揺れの影響を最も受けやすい傘４０の揺れを防止でき、特に揺れ防止壁１７がクッション材１７ａを備えているものでは、電車走行中など常時振動している状況においても振動をより吸収でき、そのため振動による吸着力の低下を防止することができる。
【００８１】
さらに、揺れ防止壁１７は保持体１４に連結されているため、石突き４１を支持している箇所と、保持体１４の周縁とによって、揺れを吸収することができる。特に、揺れ防止壁１７の保持体１４への連結箇所を、床面に近く、かつ最も安定した保持体１４の周縁としているため、揺れ防止壁１７自体が安定し、揺れ防止効果を十分に発揮できる。なお、揺れ防止壁１７の保持体１４への連結箇所は周縁でなくてもよい。
【００８２】
また本例に示した石突き固定具２０は、石突き４１が揺れ防止壁７でのみ支持され、押圧板１３ｅに載せ置かれる（押圧部１３と相互に固定されない）構造となっているため、傘が揺れても石突き４１の下端と押圧板１３ｅとが水平方向に摺動する状態となり、そのため傘４０の揺れは吸盤１１の頂部に直接的に伝達されない。なお、極度の傘４０の揺れによって傘４０が転倒しないようにするため、押圧板１３ｅの上面を滑り止め加工するか、周壁を設けるなどして、石突き４１の水平方向の摺動を規制するようにしてもよいし、揺れ防止壁１７の上端より下方に、揺れ防止壁１７と一体成型された円柱状の周壁を設けるなどして、石突き４１の水平方向の摺動を揺れ防止壁１７によって、規制するようにしてもよい。
【００８３】
また、凹所１３ｄは、上述するように押圧棒１３ａの上端が固着され、スプリング１６を収容しており、凹所１３ｄの一部は、保持体１４の凹所１４ｂ内に回動可能に遊嵌されている。なお、図示するようなクッション材１４ｅを保持体１４と、凹所１３ｄを形成している周壁との間に介装させて、揺れ防止壁１７のクッション材１７ａとともに上下２点で揺れを防止した構造としてもよい。
【００８４】
保持体１４は、硬質のプラスチック等で製され、吸盤１１を下方に備えた円錐状のコーン部１４ａの内方と、その上方の凹部１４ｂとは開口１４ｃによって連通しており、吸盤１１に介装された押圧部１３を開口１４ｃに貫通させている。また、保持体１４の下端は吸盤１１の周縁部に当接している。
【００８５】
また、開口１４ｃを設けた箇所には内向鍔１４ｄが形成されており、この内向鍔１４ｄと凹所１３ｂとの間に弾性力を有したスプリング１６を介在させている。つまり、押圧棒１３ａにはスプリング１６が外嵌されており、吸盤１１の復帰状態では、スプリング１６が収縮していない状態で、その上端が凹所１３ｂに接し、下端が凹所１４ｂの内向鍔１４ｄの上面に接している。また、保持体１４は押圧部１３に接続されていないため、保持体１４の周辺部の両端はそれぞれに上下動し、保持体１４に連結された揺れ防護壁１７も同様にその周辺部は上下動する。
【００８６】
以上には、同石突き固定具２０の押圧構造の一例を示しているが、このようなスプリング１６を設けた構造に限定されない。吸盤１１を下方に備えた保持体１４の上方で、押圧部１３に直接、石突き４１を固定、連結させてもよい。この構成については、図９にて後述する。
【００８７】
次に、傘４０を自立させるための同石突き固定具２０の吸着動作について図４〜７を参照しながら説明する。図７（ａ）、（ｂ）は、同石突き固定具２０に使用するゲル状の半固形物層１２の吸盤１１への形成例を示した縦断面図である。
【００８８】
図４（ａ）、図５は、傘４０の石突き４１に装着した同石突き固定具２０の吸盤１１が非吸着の状態（復帰状態）を示している。この状態で傘４０を押し込むと、押圧部１３が吸盤１１を押圧し、吸盤１１とゲル層１２との間の空間ｇ（図７（ａ）参照）、ゲル層１２と床面８との間の空間ｇ´（図７（ｂ））の空気が外部に押し出され、図４（ｂ）、図６に示すように、石突き装着体１５Ａの凹所１３ｅが保持体１４の凹所１４ｂに深く入り込んだ状態となって、ゲル層１２が凹凸部８ａを有した床面８や地面に密着した状態で吸着する。
【００８９】
例えば、図７（ｂ）のようにゲル層１２を形成させたものでは、吸盤１１を押圧すると、空間ｇ´の空気が押し出され、低圧化され、その後、吸盤１１は弾性復帰しようとするが、吸盤１１がゲル１２を介して床面８に強く密着しているため空気の侵入はなく、吸盤本来の吸着力は衰えず、それどころかゲル状であることによる気密性が相俟って吸着力は増加する。
【００９０】
また、内装されたスプリング１６は、その下端が保持体１４の内向鍔１４ｄに接しているため、押圧によって弾性収縮するが、スプリング１６の復帰弾性力によって内向鍔１４ｄを押圧するため、保持体１４全体が下方に移動し、保持体１４の下端周縁が吸盤１１とゲル層１２を押圧し、それによっても空気侵入を防止でき、吸着力を持続させる。また、押圧部１３には、スプリング１６のほか、ゴム等の復帰弾性力のある素材を使用してもよい。また、吸盤１１の頂部を、保持体の開口部１４ｃに貫通させ、押圧板に固着されたものも採用できる。ようするに押圧部１３は、少なくとも、吸盤１１を押圧できる構成であればよい。
【００９１】
また図４に示すように、石突き４１に吸着力を石突き４１の挿入状態の程度で確認するために、石突き４１に吸着力の指標となるラインなどの目印４１ａを設けることが望ましい。この指標ライン４１ａは、解除状態では表面に露出され、吸着状態では揺れ防止壁１７で覆い隠される箇所に設けられており、指標ライン４１ａの露出状態を見て吸盤１１の吸着の程度を確認することができる。
【００９２】
本例のものでは、押圧時には、スプリング１６は上方にも復帰しようとするが、復帰弾性力よりも吸着力のほうが勝っているため吸着力が衰えない限りは元に戻らず、押圧板１３ｅの下方に形成された凹所１３ｄが保持体１４の凹所１４ｂに深く収容された状態を維持する。
【００９３】
以上のように、本発明によれば、吸盤１１の吸着面側にゲル層１２を形成しているため、ゲル状であること、つまりゲルの有する柔軟性と弾力性によって、伸縮自在となって凹凸のある床面８との隙間を塞ぎ、そこからの空気侵入を防止でき、道路や外床、電車内の床面など、微小な凹凸や埃や塵などの汚れによる凸部がある面に対しても、傘４０を押し込むだけで強力に吸着でき、傘４０は手放し状態にしても自立する。
【００９４】
また、ゲル層１２は弾力性を有しているため、吸盤１１が吸着状態より復帰すると元の状態に復帰できる。さらに、上記の保持体１４、揺れ防止壁１７など揺れを考慮にいれた種々の構成によって、自立状態を長時間保持することができる。
【００９５】
なお、石突き４１を装着した状態の傘４０のバランスがよければ、吸盤１１の吸着が解除状態であっても、平坦で揺れのない床面８であれば傘４０の自立は可能である。くわえて、ゲル層１２が自己粘着性を有していれば、より安定して自立することができる。
【００９６】
なお、揺れ防止壁１７によって囲まれた内方空間や保持体１４の内向き鍔部１４ｄの空間や保持体１４の凹所１４ｂ内に、ゴムやゲルを注入して、揺れを吸収できる構造としてもよい。
【００９７】
また、ゲル層１２はその床固着面に水分を付加すれば、さらに吸着力は増加する。そのため、雨降り時に石突き固定具２０を装着した傘４０をさしてゲル層１２に十分な水分を与えた後は、より吸着しやすく、利便性はきわめて高い。ただし、汚れた水分で劣化が進まないように、非吸着時に石突き固定具２０を傘４０に装着したままでも、ゲル層１２を覆い隠して保護できるように、開閉自在の蓋を設けてもよい。
【００９８】
なお、ゲル層１２は、図３の例で示したように、中央をくりぬき吸盤１１の周縁のみに接着させたものでもよい。
【００９９】
本例の石突き固定具２０によれば、石突き固定具２０を傘４０に固定して電車などの床面８に吸着させると、床面８が揺れて傘４０が揺れても、その揺れを、揺れ防止壁１７の石突き４１を支持している箇所で抑えることができる。傘４０の揺れから伝達される揺れ防止壁１７の揺れは、揺れ防止壁１７が保持体１４に連結されているため、保持体１４にも伝わり、ひいては吸盤１１の周縁部にも伝わるが、吸盤１１の吸着力は、吸盤１１の周縁部に保持体１４が揺れることによって生じる上方からの力が加わっても、その力が、吸盤１１の周縁部を持上げるような力でない限り、弱まることはない。また、保持体１４の揺れを保持体１４と当接する吸盤１１のクッション性、および吸盤１１の下方に設けられたゲル層１２のクッション性によって緩和することができる。さらに、床面８にはゲル層１２のみが接しているため、床面８からの揺れの伝達はゲル層１２で吸収でき、ゲル層１２よりも上方に位置する保持体１４や揺れ防止壁１７、石突き保有具４０などに伝わる揺れを軽減することができ、加えて、揺れ防止壁１７の揺れは、保持体１４をも揺らすが、保持体１４は押圧部１３と接続していないため、傘の左右の揺れにともなって保持体１４の周縁が左右交合に上下動しても、その揺れが直接吸盤の頂部に伝わるのを防ぐことができ、吸盤の吸着力を持続させることができる。それらの結果、床面の揺れによる吸盤１１の吸着力の低下を防止することができ、傘の自立を長時間可能にする。
【０１００】
図８は、押圧棒１３ａと吸盤１１との結合態様の一例を示した部分縦断面図である。
【０１０１】
図５で示した例では、押圧部１３の下端には円板１３ｂが形成され、その円板１３ｂが吸盤１１の頂部１１ａに埋め込まれ、押圧棒１３ａと相互に結合している。吸盤１１の頂部１１ａには埋め込み空間１１ｃが形成されており、その埋め込み空間１１ｃに、円板１３ｂを周囲より覆うように、ゲル、ゴムなどの柔軟な材料１８を、図８で示すように充填させ、押圧部１３と吸盤１１を結合させてもよい。
【０１０２】
この充填材料は、押圧棒１３ａと床面８に吸着した吸盤１１とを、あそびを持たせて結合するための緩衝材１８として設けられている。
【０１０３】
したがって、電車の床面などに吸着しているときに電車の揺れで傘４０が左右に揺れた際、その揺れは揺れ防止壁１７で軽減されるものの、揺れ防止壁１７、保持体１４を介して押圧部１３にも伝達され、吸盤１１にも伝わるが、緩衝材１８を設けた構造のものでは、吸盤１１の頂部への揺れの伝達は緩和され、吸盤１１の吸着力は持続する。
【０１０４】
また、揺れ防止壁１７のクッション材１７ａ、保持体１４のクッション材１４ｅなどとの協働によって、吸盤１１への揺れの伝達はさらに緩和される。つまり、電車走行中など常時振動している状況においても、上記種々の構成によって振動を吸収できるため、振動による吸着力の低下を防止することができる。
【０１０５】
なお、緩衝材は図１，２の例、図３の例、図５，６の例および後述する図９，１０の例にも適用可能であり、同様の効果が期待できる。
【０１０６】
本例では、石突き固定具２０は傘４０と別体であるが、傘の石突きと石突き固定具とを、固着または一体化してもよい。つまりその場合、石突き保有具は石突き固定具を使用した構成となる。図９は、そのような石突き固定具を使用し、石突き固定具を固着した自立傘の吸着時を示した縦断面図である。
【０１０７】
同自立傘４０Ａは、石突き固定具２０Ａを石突き４１に固着させている。同石突き固定具２０Ａは、下方にゲル状の半固形物層１２を形成した吸盤１１と、石突き４１に固着され、吸盤１１を床面に押し付ける押圧部１３と、吸盤１１を下方に備えた保持体１４とを備えている。同自立傘４０Ａは、傘の押し下げ操作によって吸盤１１が床面に吸着させ、取り外し片１１ｂの持上げ操作により復帰させるもので、詳細の動作については図４〜６の例と同様であるため、同一の構成部材について同一の符号を付して、それらの説明および動作説明を割愛する。
【０１０８】
また本例のものは、図４〜６の例と同様に傘を自立させることができるとともに、石突き４１と石突き固定具２０Ａとを固着させているため、傘の携帯中に石突き固定具２０Ａだけが外れ落ちるおそれがなく利便性が高い。固着は接着剤等によって固着されたものでもよく、また石突き４１と石突き固定具２０Ａを一体成形してもよい。また、石突き４１と押圧板１３ｅとを固着させてもよい。その固着は接着剤等によって固着されたものでもよく、また石突き４１と押圧板１３ｅとを一体成形してもよい。
【０１０９】
最後に、より揺れに強く安定した傘自立用石突き固定具について説明する。図１０は、そのような揺れ防止壁を有した石突き固定具の非吸着時の縦断面図である。なお本図では、安定化した揺れ防止壁を図５，６の例に対応させたものを例示しているが、図１〜３の例や図９の例にも適用可能である。
【０１１０】
本例では、揺れ防止壁１７が保持体１４の周縁よりも大きく延出形成されている。つまり揺れ防止壁１７は、平面視で保持体１４よりも径大に形成され、その延出された周縁部１７ｂが、吸盤１１またはゲル１２に密着するように形成されている。そのために、少なくともゲル１２は同程度の径に形成されている（以上、図１０の右側に示した周縁部１７ｂを参照）。また、吸盤の吸着時には、保持体１４の周緑部が吸盤の周縁部を押さえるため、揺れ防止壁とともに揺れを抑える構造となっている。
【０１１１】
このような構造とすることで、傘４０が左右に揺れることによって、その揺れは揺れ防止壁１７を揺らすが、揺れ防止壁１７の左右のいずれか側が傘の揺れによって、上下に揺れようとした場合でも、周縁部１７ｂの揺れは吸盤１１やゲル１２によって吸収され、大きな揺れを防止できる。加えて、揺れ防止壁１７の揺れは、保持体１４をも揺らすが、保持体１４は押圧部１３と接続していないため、傘の左右の揺れにともなって保持体１４の周縁が左右交合に上下動しても、その揺れが直接吸盤の頂部に伝わるのを防ぐことができ、吸盤の吸着力を持続させることができる。
【０１１２】
なお、揺れに強く安定した形状としては、上記のものに限られず、揺れ防止壁１７、保持体１４の少なくとも一方の周縁部が、ゲル１２または吸盤１１に密着して、床面８に支持されたゲル１２または吸盤１１によって揺れが吸収できる構造とすればよい。また、揺れ防止壁１７の下端にゴム等を設けるなどして、地面と接する構造としてもよい。吸盤１１の周縁部に密着する場合は、その吸盤１１の周縁部がゲル１２によって支持されるようにするほうが望ましい。
【０１１３】
例えば、揺れ防止壁１７または保持体１４の周縁部を取り外し片１１ｂに接着させてもよい（図１０の左側に示した周縁部１７ｂを参照）。そうすれば、揺れ吸収効果を発揮できるとともに、装着した傘４０を図中の右方向に倒すだけで取り外し片１１ｂを上方に持上げ、吸着した吸盤１１を引き剥がすことができる。
【０１１４】
なお本例では、揺れ防止壁１７の周縁部１７ｂを下方に突出させて吸盤１１、ゲル１２に密着させているが、吸盤１１またはゲル１２の周縁部を上方に突出させて、つまり周縁部がリング状に高くなるように形成して、そのリング部分を揺れ防止壁１７の周縁部１７ｂまたは保持体１４の周縁部に密着させるようにしてもよい。
【０１１５】
また本例では、石突き固定部１５と、押圧部１３の上端部分を構成する押圧板１３ｅとが一体となった断面Ｈ形の石突き装着体１５Ａを有している。石突き固定部１５は、傘４０の石突き４１を差し入れて挿着させる傘挿着凹所１５ａを有しており、押圧板１３ｅを一体に形成している。
【０１１６】
また、傘挿着凹所１５ａには、内方上端にクッション材１５ｂが内装され、その開口はクッション材１５ｂが装着された状態では傘の石突きの径と同じか、やや小さめに形成されている。
【０１１７】
このように本例では、石突き固定部１５によって傘４０の石突き４１を固定する構造であるため、揺れ防止壁１７によって石突き４１のより上方を支持するようにすれば、石突き４１が上下２点でより安定的に支持、固定されるようになるため、傘４０自体の揺れを緩和することができる。なお、図示するようなクッション材１４ｅを保持体１４と、凹所１３ｄを形成している周壁との間に介装させて、揺れ防止壁１７のクッション材１７ａ、石突き固定部１５のクッション材１５ｂとともに３点で揺れを防止した構造としてもよい。
【０１１８】
なお、石突き固定部１５による石突き４１の固定は、石突き４１が水平方向にわずかに揺れ動ける程度にあそびを有したものであってもよい。
【０１１９】
また本例では、揺れ防止壁１７は石突き４１を支持する構造としているが、石突き装着体５Ａつまり石突き固定部１５の周壁、またはその下方の押圧部１３の押圧板１３ｅを、周囲より支持するようにしてもよい。
【０１２０】
以上は、押圧して吸盤を吸着させる操作方法を用いた本発明の最良の実施形態について述べたが、石突き固定具および石突き保有具の形状および構造とそれらを構成する部材の形状および構造と各部材間の固着、連結等の各部材間の関係は、これらに限定されるものではない。
【図面の簡単な説明】
【０１２１】
【図１】吸盤の中央を持ち上げることによって、吸盤を床面に吸着させて、傘（石突き保有具）を自立させるようにした、本発明の傘（石突き保有具）自立用の石突き固定具の一例の使用態様を示すもので、（ａ）は傘の石突きの斜視図、（ｂ）はナットの斜視図、（ｃ）は同石突き固定具の一部破断斜視図である。
【図２】同石突き固定具の使用態様を示す縦断面図で、（ａ）は非吸着時、（ｂ）は吸着時を示している。
【図３】吸盤の中央を持ち上げることによって、吸盤を床面に吸着させて、傘（石突き保有具）を自立させるようにした、本発明の石突き固定具を使用した石突き保有具の一例である自立傘の非吸着時を示した縦断面図である。
【図４】吸盤を押圧することによって、吸盤を床面に吸着させて、傘（石突き保有具）を自立させるようにした、本発明の傘（石突き保有具）自立用の石突き固定具の一例の使用態様を示す部分斜視図で、（ａ）は非吸着時、（ｂ）は吸着時を示している。
【図５】同石突き固定具の非吸着時の縦断面図である。
【図６】同石突き固定具の吸着時の縦断面図である。
【図７】（ａ）、（ｂ）は、同石突き固定具に使用するゲル状の半固形物層の吸盤への形成例を示した縦断面図である。
【図８】石突き固定具の押圧部と吸盤との結合態様の一例を示した部分縦断面図である。
【図９】吸盤を押圧することによって、吸盤を床面に吸着させて、傘（石突き保有具）を自立させるようにした、本発明の石突き固定具を使用した石突き保有具の一例である自立傘の吸着時を示した縦断面図である。
【図１０】吸盤を押圧することによって、吸盤を床面に吸着させて、傘（石突き保有具）を自立させるようにした、本発明の他例である石突き固定具を使用した石突き保有具の非吸着時を示した縦断面図である。
【符号の説明】
【０１２２】
１０      傘自立用石突き固定具（石突き保有具自立用の石突き固定具）
１      吸盤
１ａ      円板
２      ゲル状の半固形物層（ゲル層）
３      持上げ操作部
４      保持体
５      石突き固定部
５ａ      傘挿着凹所
５ｃ      ナット
７      揺れ防止壁
７ａ      クッション材
８      床面
３０      傘
３１      石突き
３０Ａ      自立傘（石突き固定具を使用した石突き保有具）
１０Ａ      石突き固定具
２０      傘自立用石突き固定具（石突き保有具自立用の石突き固定具）
１１      吸盤
１１ａ      頂部
１２      ゲル状の半固形物層（ゲル層）
１３      押圧部
１３ａ      押圧棒
１３ｂ      円板
１３ｅ      押圧板
１４      保持体
１５      石突き固定部
１５ａ      傘挿着凹所
１５ｃ      クッション材
１６      スプリング
１７      揺れ防止壁
１７ａ      クッション材
１８      緩衝材
４０      傘
４１      石突き
４０Ａ      自立傘（石突き固定具を使用した石突き保有具）
２０Ａ      石突き固定具
【図１】
2008295769.tif 000003
【図２】
2008295769.tif 000004
【図３】
2008295769.tif 000005
【図４】
2008295769.tif 000006
【図５】
2008295769.tif 000007
【図６】
2008295769.tif 000008
【図７】
2008295769.tif 000009
【図８】
2008295769.tif 000010
【図９】
2008295769.tif 000011
【図１０】
2008295769.tif 000012